(57)【要約】【課題】電力効率を低下させることなく、起動不良の発生を抑制できる高圧電源装置を提供する。【解決手段】高圧電源装置５００は、入力電圧を昇圧するための転写出力用トランス５１２を含む正バイアス電源部５１０と、転写出力用トランス５１２によって昇圧された電圧が外部に対して出力される出力端５９０と、正バイアス電源部５１０に駆動信号を入力することにより、定電流化された高電圧を出力するように正バイアス電源部５１０の駆動を制御する定電流制御回路５４０と、転写出力用トランス５１２の出力端５９０側を流れる電流の向きを検出する検出回路５６０と、検出回路５６０の検出結果に応じて、正バイアス電源部５１０に対する駆動信号の入力と入力の遮断とを切替える検出器５７０とを含む。【選択図】図３
2015012773.tif 000002
【特許請求の範囲】
【請求項１】
入力電圧を昇圧するための昇圧手段を含む電源部と、
前記昇圧手段によって昇圧された電圧が外部に対して出力される出力端と、
前記電源部に駆動信号を入力することにより、定電流化された高電圧を出力するように前記電源部の駆動を制御するための制御手段と、
前記昇圧手段の前記出力端側を流れる電流の向きを検出するための検出手段と、
前記検出手段の検出結果に応じて、前記電源部に対する駆動信号の入力と入力の遮断とを切替えるための切替手段とを含む、高圧電源装置。
【請求項２】
前記検出手段はツェナーダイオードを含む、請求項１に記載の高圧電源装置。
【請求項３】
前記ツェナーダイオードのツェナー電圧は１Ｖ以上１０Ｖ以下である、請求項２に記載の高圧電源装置。
【請求項４】
前記検出手段は、前記ツェナーダイオードのオンオフ状態を検出して検出信号を前記切替手段に出力するための手段をさらに含む、請求項２又は請求項３に記載の高圧電源装置。
【請求項５】
前記切替手段は、前記検出信号に基づく前記ツェナーダイオードのオンオフ状態に応じて、前記電源部に対する駆動信号の入力と遮断とを切替えるための手段を含む、請求項４に記載の高圧電源装置。
【請求項６】
前記検出手段は抵抗素子を含む、請求項１に記載の高圧電源装置。
【請求項７】
前記電源部を第１の電源部としたときに、当該第１の電源部と接続される第２の電源部をさらに含み、
前記第２の電源部は、前記第１の電源部の出力電圧とは逆極性の電圧を出力し、
前記検出手段は、前記第１の電源部と前記第２の電源部との間を流れる電流の向きを検出する、請求項１〜請求項６のいずれかに記載の高圧電源装置。
【請求項８】
像担持体と、
前記像担持体を帯電させるための帯電手段と、
前記帯電手段によって帯電した前記像担持体を露光して静電潜像を形成するための露光手段と、
前記像担持体において前記静電潜像を顕像化した画像を形成するための現像手段と、
前記像担持体に顕像化された画像を記録媒体に転写するための転写手段と、
前記転写手段に電圧を印加する、請求項１〜請求項７のいずれかに記載の高圧電源装置とを含む、画像形成装置。
【発明の詳細な説明】
【技術分野】
【０００１】
本発明は、高圧電源装置及びその高圧電源装置を含む画像形成装置に関し、特に、高圧電源装置の起動不良を抑制するための技術に関する。
【背景技術】
【０００２】
プリンタ、ファックス、複写機、及びこれらの複合機等の画像形成装置の多くに電子写真方式が採用されている。電子写真方式の画像形成装置は、像担持体としての感光体ドラム、感光体ドラムを帯電させる帯電装置、帯電した感光体ドラムを露光して潜像を形成する露光装置、形成した潜像を現像剤としてのトナーを用いて現像する現像器、現像した画像（トナー像）を記録用紙に転写する転写装置を含む。
【０００３】
こうした画像形成装置において、帯電装置には感光体ドラムを帯電させるための電圧が印加され、現像器には潜像を現像するための電圧が印加され、転写装置には画像を記録用紙に転写するための電圧が印加される。帯電装置、現像器及び転写装置等に印加される電圧には高電圧（例えば、商用電源電圧よりも高い数百Ｖ以上の電圧）が必要とされる。例えば、転写装置には、良好な転写を行なうために最大３ｋＶ程度の高電圧が印加される。そのため、電子写真方式の画像形成装置は、高電圧を出力する高圧電源装置をさらに含む。
【０００４】
後掲の特許文献１及び特許文献２は、こうした高圧電源装置を開示する。
【０００５】
特許文献１の高圧電源装置は、極性の異なる２つの高圧電源（正の高圧電源及び負の高圧電源）を含む。これら２つの高圧電源はそれぞれ高圧トランスを含み、正の高圧電源の高圧トランスと負の高圧電源の高圧トランスとが直列接続されている。特許文献２の高圧電源装置も特許文献１と同様の構成を有する。すなわち、特許文献２の高圧電源装置は、極性の異なる２つの高圧電源を含み、これら２つの高圧電源が直列接続されている。
【０００６】
特許文献１及び特許文献２の高圧電源装置は、転写装置等の外部負荷に対して、正極性又は負極性の高電圧を出力する。具体的には，正の高圧電源は、印刷時に画像を記録用紙に転写するために、転写装置に対して正極性の電圧（転写電圧）を出力する。負の高圧電源は、転写装置をクリーニングするために、転写装置に対して逆極性（負極性）の電圧（クリーニング電圧）を出力する。
【先行技術文献】
【特許文献】
【０００７】
【特許文献１】特開平６−３１８１１７号公報
【特許文献２】特開２００３−２０９９７２号公報
【発明の概要】
【発明が解決しようとする課題】
【０００８】
高圧電源装置の内部の電位（以下「内部電位」と呼ぶ。）が外部負荷の電位（以下「外部電位」と呼ぶ。）より高い場合、高圧電源装置に逆電流が流れる。例えば、外部負荷に対して出力する電圧をクリーニング電圧から転写電圧に切替えたときに、内部電位が外部電位より高くなることがあり、このとき高圧電源装置に逆電流が流れる。この逆電流は高圧電源装置に起動不良を生じさせる。この起動不良により、記録用紙に画像を転写する際に転写不良が生じる。さらに高圧電源装置の起動不良は、当該高圧電源装置を破損させるおそれがある。
【０００９】
逆電流の発生を抑制するための方法として、従来、以下の方法が知られている。すなわち、特許文献１及び特許文献２の高圧電源装置において、負の高圧電源を常に駆動させておき、出力電圧をクリーニング電圧から転写電圧に切替えるときに、負の高圧電源の出力に正の高圧電源の出力を重畳させる。高圧電源装置をこのように駆動することによって、出力電圧をクリーニング電圧から転写電圧に切替えるときに、内部電位が外部電位より高くなるのを抑制できるので、逆電流の発生が抑制される。
【００１０】
しかし、このような方法は、２つの電源部の一方を常に駆動させておく必要があるため、電力効率が低下するという問題がある。
【００１１】
本発明は、上記のような課題を解決するためになされたものであり、本発明の１つの目的は、電力効率を低下させることなく、起動不良の発生を抑制できる高圧電源装置及び画像形成装置を提供することである。
【課題を解決するための手段】
【００１２】
上記目的を達成するために、本発明の第１の局面に係る高圧電源装置は、入力電圧を昇圧するための昇圧手段を含む電源部と、昇圧手段によって昇圧された電圧が外部に対して出力される出力端と、電源部に駆動信号を入力することにより、定電流化された高電圧を出力するように電源部の駆動を制御するための制御手段と、昇圧手段の出力端側を流れる電流の向きを検出するための検出手段と、検出手段の検出結果に応じて、電源部に対する駆動信号の入力と入力の遮断とを切替えるための切替手段とを含む。
【００１３】
高圧電源装置は、昇圧手段によって昇圧された電圧を、出力端を介して外部に出力する。制御手段は、電源部に駆動信号を入力することにより、定電流化された高電圧を出力するように電源部の駆動を制御する。検出手段は、昇圧手段の出力端側を流れる電流の向きを検出する。この検出手段によって、高圧電源装置に逆電流が流れているか否かを検出できる。切替手段は、逆電流が流れているか否かに応じて、電源部に対する駆動信号の入力と入力の遮断とを切替える。逆電流が流れているときには、電源部に駆動信号が入力されるのを遮断し、逆電流が流れていないときには、電源部に駆動信号を入力する。すなわち、本高圧電源装置は、逆電流が流れているか否かを監視し、逆電流が流れていないときに電源部を起動する。これにより、逆電流に起因する電源部（高圧電源装置）の起動不良を抑制できる。加えて、起動不良に起因する破損を効果的に抑制できる。
【００１４】
さらに本高圧電源装置は、起動不良を抑制するために、例えば逆極性の電源部を別途設けてその電源部を常に駆動させておく必要がない。このため、本高圧電源装置は、電力効率を低下させることなく、起動不良を抑制できる。なお、別途設けた電源部を常に駆動させていると、駆動によって生じた熱により回路部品の放熱を悪化させる。本高圧電源装置は、上記のように構成することによって、こうした不都合が生じるのを抑制することもできる。
【００１５】
好ましくは、検出手段はツェナーダイオードを含む。
【００１６】
より好ましくは、ツェナーダイオードのツェナー電圧は１Ｖ以上１０Ｖ以下である。
【００１７】
さらに好ましくは、検出手段は、ツェナーダイオードのオンオフ状態を検出して検出信号を切替手段に出力するための手段をさらに含む。
【００１８】
さらに好ましくは、切替手段は、検出信号に基づくツェナーダイオードのオンオフ状態に応じて、電源部に対する駆動信号の入力と遮断とを切替えるための手段を含む。
【００１９】
さらに好ましくは、検出手段は抵抗素子を含む。
【００２０】
さらに好ましくは、高圧電源装置は、電源部を第１の電源部としたときに、当該第１の電源部と接続される第２の電源部をさらに含み、第２の電源部は、第１の電源部の出力電圧とは逆極性の電圧を出力し、検出手段は、第１の電源部と第２の電源部との間を流れる電流の向きを検出する。
【００２１】
本発明の第２の局面に係る画像形成装置は、像担持体と、像担持体を帯電させるための帯電手段と、帯電手段によって帯電した像担持体を露光して静電潜像を形成するための露光手段と、像担持体において静電潜像を顕像化した画像を形成するための現像手段と、像担持体に顕像化された画像を記録媒体に転写するための転写手段と、転写手段に電圧を印加する、上記第１又は第２の局面に係る高圧電源装置とを含む。
【００２２】
本画像形成装置は、転写手段に電圧を印加する高圧電源装置を含む。この高圧電源装置は、電力効率を低下させることなく、起動不良の発生を抑制できる。このような高圧電源装置を含むことによって、本画像形成装置は、起動不良に起因する破損を効果的に抑制できる。加えて、起動不良を抑制することによって、起動不良に起因する転写不良の発生を抑制できる。
【発明の効果】
【００２３】
以上より、本発明によれば、電力効率を低下させることなく、起動不良の発生を抑制できる高圧電源装置及び画像形成装置を容易に得ることができる。
【図面の簡単な説明】
【００２４】
【図１】本発明の第１の実施の形態に係る画像形成装置のハードウェア構成を示す制御ブロック図である。
【図２】図１に示す画像形成装置の作像部の構成を示す図である。
【図３】本発明の第１の実施の形態に係る高圧電源装置の回路構成を示す図である。
【図４】図３に示す高圧電源装置の動作を説明するための図である。
【図５】起動不良の発生を説明するための図（比較用の高圧電源装置を示す図）である。
【図６】起動不良の発生を説明するための図である。
【発明を実施するための形態】
【００２５】
以下の実施の形態では、同一の部品には同一の参照番号を付してある。それらの機能及び名称も同一である。したがって、それらについての詳細な説明は繰返さない。
【００２６】
（第１の実施形態）
図１を参照して、本実施の形態に係る画像形成装置１００は、コピー機能及びプリンタ機能等を備えるＭＦＰ（Ｍｕｌｔｉｆｕｎｃｔｉｏｎ  Ｐｅｒｉｐｈｅｒａｌ：デジタル複合機）である。この画像形成装置１００は、レーザー光を露光に利用する、所謂レーザー方式（電子写真方式）の印刷機能を備える。
【００２７】
画像形成装置１００はまた、ネットワーク５０を介して情報処理装置（図示せず。）等の外部機器から送信された画像データ、又は原稿画像を読取ることによって取得した画像データ等に基づいて、所定の記録用紙に多色又は単色の画像を可視画像として形成する。
【００２８】
［構成］
《画像形成装置１００の構成》
画像形成装置１００は、制御部１１０、記憶装置１２０、操作部１３０、通信インターフェイス（以下「通信Ｉ／Ｆ」と記す。）１４０、画像読取部１５０、作像部１６０、露光装置１７０及び定着装置１８０を含む。
【００２９】
制御部１１０は、実質的にコンピュータであって、ＣＰＵ（Ｃｅｎｔｒａｌ  Ｐｒｏｃｅｓｓｉｎｇ  Ｕｎｉｔ）１１２、ＲＯＭ（Ｒｅａｄ  Ｏｎｌｙ  Ｍｅｍｏｒｙ）１１４、及びＲＡＭ（Ｒａｎｄｏｍ  Ａｃｃｅｓｓ  Ｍｅｍｏｒｙ）１１６を含む。ＣＰＵ１１２には、ＢＵＳライン１９０が接続されており、このＢＵＳライン１９０には、ＲＯＭ１１４及びＲＡＭ１１６が電気的に接続される。ＣＰＵ１１２は、操作部１３０等からの指示に応じて各種コンピュータプログラムを実行することによって、画像形成装置１００の各部の動作及び情報処理装置等の外部機器との通信等の所望の処理を実行する。
【００３０】
ＢＵＳライン１９０には、さらに、記憶装置１２０、操作部１３０、通信Ｉ／Ｆ１４０、画像読取部１５０、作像部１６０、露光装置１７０及び定着装置１８０が電気的に接続される。
【００３１】
記憶装置１２０は、例えば、図示しないＨＤＤ（Ｈａｒｄ  Ｄｉｓｋ  Ｄｒｉｖｅ）を含む。記憶装置１２０には、画像形成装置１００の一般的な動作を実現するためのコンピュータプログラムが記憶される。記憶装置１２０はまた、画像形成装置１００が受信した画像データ及び、画像読取部１５０で読取った画像データを記憶する。
【００３２】
操作部１３０は、例えば、ユーザに対して対話的な操作インターフェイスを提供する、タッチパネルディスプレイ（図示せず。）を含む。通信Ｉ／Ｆ１４０は、ネットワーク５０とのインターフェイスをとる。画像形成装置１００は、この通信Ｉ／Ｆ１４０を介して、ネットワーク５０上の情報処理装置等と、所定の通信プロトコルに従ったデータ通信を行なうことができる。
【００３３】
画像読取部１５０は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含む。画像読取部１５０は、原稿のコピー時又はスキャン時に、原稿載置台に載置される原稿から原稿検知センサによって画像情報を読取り、読取った画像情報をＣＣＤラインセンサによって電気信号に変換して画像データとして出力する。
【００３４】
作像部１６０は、画像データによって示される画像を記録用紙に形成（印刷）する。作像部１６０の詳細については後述する。露光装置１７０は、レーザースキャンユニット（図示せず。）を含む。レーザースキャンユニットは、印刷対象の画像データに基づいてレーザー光を変調し、このレーザー光によって像担持体の表面を主走査方向に繰返し走査して、静電潜像を像担持体の表面に形成する。
【００３５】
定着装置１８０は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。
【００３６】
《作像部１６０の構成》
図２を参照して、作像部１６０は、画像形成処理部２００、中間転写ユニット３００、二次転写ユニット４００及び二次転写ユニット４００にバイアス電圧（高電圧）を印加する高圧電源装置５００を含む。画像形成処理部２００は、露光装置１７０によって潜像が形成される感光体ドラム２１０ａ、２１０ｂ、２１０ｃ及び２１０ｄ（以下、総称するときは「感光体ドラム２１０」と呼ぶ。）、現像装置２２０ａ、２２０ｂ、２２０ｃ及び２２０ｄ（以下、総称するときは「現像装置２２０」と呼ぶ。）、並びに帯電装置２３０ａ、２３０ｂ、２３０ｃ及び２３０ｄ（以下、総称するときは「帯電装置２３０」と呼ぶ。）等を含む。
【００３７】
中間転写ユニット３００は、中間転写ベルト３１０、駆動ローラ３２０、従動ローラ３３０、一次転写ローラ３４０ａ、３４０ｂ、３４０ｃ及び３４０ｄ（以下、総称するときは「一次転写ローラ３４０」と呼ぶ。）、並びにクリーニングユニット３５０を含む。二次転写ユニット４００は、二次転写ベルト４１０及び二次転写ローラ４２０を含む。
【００３８】
画像形成装置１００において扱われるカラー画像の画像データは、ブラック（Ｋ）、シアン（Ｃ）、マゼンタ（Ｍ）、イエロー（Ｙ）の４色の各色相に対応した画像データを用いて、画像形成部２５０ａ、２５０ｂ、２５０ｃ及び２５０ｄ（以下、総称するときは「画像形成部２５０」と呼ぶ。）で可視画像の形成を行なう、各色を用いたカラー画像に応じたものである。したがって、感光体ドラム２１０（２１０ａ〜２１０ｄ）、現像装置２２０（２２０ａ〜２２０ｄ）、及び帯電装置２３０（２３０ａ〜２３０ｄ）は、各色に応じた４種類の潜像を形成するように、それぞれ４個ずつ設けられている。
【００３９】
各画像形成部２５０ａ〜２５０ｄは、同様の構成であり、例えばブラックの画像形成部２５０ａは、感光体ドラム２１０ａ、現像装置２２０ａ、帯電装置２３０ａ及び一次転写ローラ３４０ａ等から構成される。この画像形成部２５０ａ〜２５０ｄは、中間転写ベルト３１０の移動方向に一列に配列されている。なお、上記ａ、ｂ、ｃ、ｄの符号は、「ａ」がブラックに、「ｂ」がシアンに、「ｃ」がマゼンタに、「ｄ」がイエローに対応し、これら符号によって区別された上記の各手段により、４つの画像ステーションが構成されている。
【００４０】
感光体ドラム２１０は、一方向に回転し、その表面は、図示しないクリーニング装置と除電装置によりクリーニングされた後、帯電装置２３０により均一に帯電する。帯電した感光体ドラム２１０は、露光装置１７０から出射されたレーザー光が照射されて静電潜像が形成される。現像装置２２０は、感光体ドラム２１０の表面にトナーを供給して静電潜像を現像し、トナー像を感光体ドラム２１０の表面に形成する。現像装置２２０ａ〜２２０ｄの各々は、ブラック、シアン、マゼンタ及びイエローの各色相のトナーを収納しており、感光体ドラム２１０ａ〜２１０ｄのそれぞれに形成された各色相の静電潜像をトナー像に顕像化する。
【００４１】
中間転写ベルト３１０は、感光体ドラム２１０の上方に配置されている。この中間転写ベルト３１０は、駆動ローラ３２０と従動ローラ３３０との間に巻き掛けられ、それによってループ状の移動経路を形成している。中間転写ベルト３１０の外周面は、感光体ドラム２１０ａ、感光体ドラム２１０ｂ、感光体ドラム２１０ｃ及び感光体ドラム２１０ｄにこの順に対向する。中間転写ベルト３１０を挟んで各感光体ドラム２１０ａ〜２１０ｄに対応する位置には、上記一次転写ローラ３４０ａ〜３４０ｄが配置されている。
【００４２】
一次転写ローラ３４０ａ〜３４０ｄには、感光体ドラム２１０ａ〜２１０ｄの表面に担持されたトナー像を中間転写ベルト３１０上に転写するために、トナーの帯電極性（−）と逆極性（＋）の高電圧（一次転写バイアス）が印加される。これによって、感光体ドラム２１０（２１０ａ〜２１０ｄ）に形成された各色相のトナー像は、中間転写ベルト３１０の外周面に順次重ねて転写され、中間転写ベルト３１０の外周面にフルカラーのトナー像が形成される。
【００４３】
ただし、イエロー、マゼンタ、シアン、及びブラックの各色相の一部のみの画像データが入力された場合には、４つの感光体ドラム２１０ａ〜２１０ｄのうち、入力された画像データの色相に対応する一部の感光体ドラム２１０のみにおいて、静電潜像及びトナー像の形成が行なわれる。例えば、モノクロ画像形成時には、ブラックの色相に対応した感光体ドラム２１０ａのみにおいて静電潜像の形成及びトナー像の形成が行なわれ、中間転写ベルト３１０の外周面にはブラックのトナー像のみが転写される。
【００４４】
中間転写ベルト３１０の外周面に転写されたトナー像は、中間転写ベルト３１０の回転によって、二次転写ローラ４２０との対向位置である二次転写位置に搬送される。二次転写ローラ４２０は、画像形成時において、内周面が駆動ローラ３２０の周面に接触する中間転写ベルト３１０の外周面に、二次転写ベルト４１０を介して所定のニップ圧で圧接されている。記録用紙の搬送方向における二次転写位置の上流側には、記録用紙の通過を検出するセンサ４５０が配設されている。
【００４５】
二次転写ローラ４２０は、高圧電源装置５００に接続されており、当該高圧電源装置５００によってバイアス電圧が印加される。搬送された記録用紙が二次転写ローラ４２０と中間転写ベルト３１０との間を通過する際に、高圧電源装置５００によって、トナーを記録用紙に転写させるための電圧（トナーの帯電極性（−）とは逆極性（＋）の高電圧）が二次転写ローラ４２０に印加される。このように、各感光体ドラム２１０ａ〜２１０ｄ上の静電潜像は、各色相に応じたトナーにより顕像化されてその色のトナー像となり、これらトナー像は中間転写ベルト上に一次転写される。一次転写されたトナー像は、中間転写ベルト３１０の回転によって、搬送されてきた記録用紙と中間転写ベルト３１０との接触位置に移動し、この位置に配置されている二次転写ローラ４２０によって、中間転写ベルト３１０の外周面から記録用紙上にトナー像が転写（二次転写）される。
【００４６】
画像形成装置１００は、図示しないモータをさらに含む。このモータは、中間転写ベルト３１０を回転させる駆動ローラ３２０、二次転写ベルト４１０を回転させるローラ等に接続されており、電力供給が行なわれるとこれらのローラを回転させる。
【００４７】
中間転写ベルト３１０と感光体ドラム２１０との接触により中間転写ベルト３１０に付着したトナー、及び中間転写ベルト３１０から記録用紙へのトナー像の転写の際に転写されずに、中間転写ベルト３１０上に残存したトナーは、次のステップでトナーの混色を発生させる原因となる。そのため、残存したトナーは、クリーニングユニット３５０によって除去されて回収される。
【００４８】
なお、可視画像としてトナー像が転写された記録用紙は、加熱ローラと加圧ローラとを備える定着装置１８０（図１参照）に導かれ、加熱ローラと加圧ローラとの間を通過して、加熱及び加圧を受ける。これによって、可視画像となるトナー像が記録用紙の表面に定着する。トナー像が定着した記録用紙は、図示しない排紙トレイに排出される。
【００４９】
以下、二次転写ユニット４００に対して高電圧を出力する、本実施の形態に係る高圧電源装置５００について詳細に説明する。
【００５０】
《高圧電源装置５００の構成》
図３を参照して、高圧電源装置５００は、正極性の高電圧を出力する正バイアス電源部５１０と、正バイアス電源部５１０と逆極性（負極性）の高電圧を出力する負バイアス電源部５３０とを含む。正バイアス電源部５１０は、トナーを記録用紙に転写（二次転写）する際に、二次転写ユニット４００に正極性（＋）の高電圧（二次転写電圧）を出力する。負バイアス電源部５３０は、中間転写ベルト３１０をクリーニングする際に、二次転写ユニット４００に負極性（−）の高電圧（クリーニング電圧）を出力する。
【００５１】
高圧電源装置５００はさらに、正バイアス電源部５１０の駆動を制御する定電流制御回路５４０、負バイアス電源部５３０の駆動を制御するクリーニング駆動回路５５０、検出回路５６０、検出器５７０、及びフィードバック回路５８０を含む。正バイアス電源部５１０は、定電流制御回路５４０によって定電流制御（＋定電流（＋ＣＣ））される。負バイアス電源部５３０は、クリーニング駆動回路５５０によって定電圧（−定電圧（−ＣＶ））制御される。
【００５２】
正バイアス電源部５１０と負バイアス電源部５３０とは直列に接続されている。正バイアス電源部５１０からの二次転写電圧、及び負バイアス電源部５３０からのクリーニング電圧は、それぞれ、出力端５９０から出力される。出力端５９０には外部負荷４００Ａが接続されている。外部負荷４００Ａは二次転写ユニット４００等であり、抵抗４３０とコンデンサ４３２とが並列接続された等価回路で示される。
【００５３】
正バイアス電源部５１０は、自励発振動作を行なう転写出力用トランス５１２、自励発振のスイッチングを制御する駆動トランジスタ５１４、整流回路５１６、直流電源５１８及びトランジスタ５２０を含む。転写出力用トランス５１２は一次巻線５１２ａ、ベース駆動用巻線５１２ｂ及び二次巻線５１２ｃを含み、直流電源５１８から入力された電圧を昇圧する。ベース駆動用巻線５１２ｂの一端はコンデンサ５２２及び抵抗５２４を介して駆動トランジスタ５１４のベースに接続されており、他端は接地されている。一次巻線５１２ａの一端は直流電源５１８と接続されており、他端は駆動トランジスタ５１４のコレクタに接続されている。駆動トランジスタ５１４のエミッタは接地されている。トランジスタ５２０のコレクタは、抵抗５２６を介して直流電源５１８に接続されており、エミッタは駆動トランジスタ５１４のベースに接続されている。整流回路５１６は、２つのダイオード５１６ａ及び５１６ｂと、コンデンサ５１６ｃとを含む。ダイオード５１６ａのアノードは二次巻線５１２ｃの一端と接続されており、カソードはコンデンサ５１６ｃと接続されている。ダイオード５１６ｂのカソードは二次巻線５１２ｃの他端と接続されており、アノードはコンデンサ５１６ｃと接続されている。ダイオード５１６ａ及びダイオード５１６ｂは二次巻線５１２ｃに対して直列に接続されており、コンデンサ５１６ｃは二次巻線５１２ｃに対して並列に接続されている。整流回路５１６は、転写出力用トランス５１２によって昇圧された電圧（電流）を整流して平滑化する。直流電源５１８の電圧（Ｖｃｃ）は例えば＋２４Ｖである。
【００５４】
定電流制御回路５４０は、オンされることによってアナログの駆動信号を出力する。この定電流制御回路５４０は、検出器５７０を介してトランジスタ５２０のベースに接続されている。
【００５５】
負バイアス電源部５３０は、クリーニング出力用トランス５３２、及び整流回路５３４を含む。クリーニング出力用トランス５３２の一次側には、クリーニング駆動回路５５０が接続されており、二次側には整流回路５３４が接続されている。整流回路５３４は、２つのダイオード５３４ａ及び５３４ｂと、コンデンサ５３４ｃとを含む。ダイオード５３４ａのカソードは、クリーニング出力用トランス５３２の二次側と接続されており、アノードはコンデンサ５３４ｃと接続されている。ダイオード５３４ｂのアノードは、クリーニング出力用トランス５３２の二次側と接続されており、カソードはコンデンサ５３４ｃと接続されている。クリーニング駆動回路５５０は発振回路である。クリーニング駆動回路５５０は負バイアス電源部５３０を駆動するための信号を出力する。負バイアス電源部５３０は、クリーニング駆動回路５５０からの信号によって例えば−１ｋＶのクリーニング電圧を出力する。
【００５６】
検出回路５６０は、正バイアス電源部５１０（転写出力用トランス５１２）と負バイアス電源部５３０（クリーニング出力用トランス５３２）との間に接続されており、この間を流れる電流の向きを検出する。すなわち、検出回路５６０は、転写出力用トランス５１２の出力端５９０側（二次巻線５１２ｃ）に流れる逆電流を検出する。この検出回路５６０は、ツェナーダイオード５６２と、オペアンプ５６４とを含む。ツェナーダイオード５６２のアノードは、正バイアス電源部５１０と接続されており、カソードは負バイアス電源部５３０と接続されている。オペアンプ５６４の非反転入力端子（＋入力）は、ツェナーダイオード５６２のカソード側と接続されており、反転入力端子（−入力）はツェナーダイオード５６２のアノード側と接続されている。オペアンプ５６４の出力端子は検出器５７０と接続されている。
【００５７】
高圧電源装置５００（正バイアス電源部５１０）に逆電流が発生するとツェナーダイオード５６２がオンする。ツェナーダイオード５６２がオンすると、オペアンプ５６４はＬｏレベルの検出信号を出力する。高圧電源装置５００に逆電流が発生していない状態ではツェナーダイオード５６２はオフする。ツェナーダイオード５６２がオフのとき、オペアンプ５６４はＨｉレベルの検出信号を出力する。すなわち、オペアンプ５６４は、ツェナーダイオード５６２のオンオフ状態に応じて、Ｌｏ又はＨｉの検出信号Ｔを出力する。ツェナーダイオード５６２は、逆電流が流れたときにその逆電流によってオンされるものであればよい。ツェナーダイオード５６２には、数百Ｖといった高圧ではなく数Ｖ程度のツェナー電圧のものを用いることができる。本実施の形態では、ツェナーダイオード５６２のツェナー電圧は例えば３．６Ｖである。ツェナーダイオード５６２のツェナー電圧は１Ｖ以上１０Ｖ以下であるのが好ましい。このようなツェナーダイオード５６２は入手が容易でかつ安価であるため、逆電流を検出するための検出回路５６０を容易に実現できる。
【００５８】
検出器５７０は、定電流制御回路５４０とトランジスタ５２０のベースとの間に接続されている。この検出器５７０はスイッチング回路を含む。検出器５７０は、定電流制御回路５４０から駆動信号が入力されているときに、検出回路５６０からの検出信号Ｔに基づいて、正バイアス電源部５１０への駆動信号の入力と遮断とを切替える。
【００５９】
［動作］
本実施の形態に係る画像形成装置１００は以下のように動作する。以下の説明では、画像形成装置１００の動作の内、本発明に関連する部分のみを説明する。他の動作は従来の画像形成装置の動作と同様である。
【００６０】
図１を参照して、操作部１３０が画像形成処理の開始指示を受付けると、画像形成装置１００は画像形成処理を実行する。図２を参照して、画像形成処理は、画像データに基づいてトナー像を感光体ドラム２１０の表面に形成する作像処理、感光体ドラム２１０に形成されたトナー像を中間転写ベルト３１０を介して記録用紙に転写する転写処理、及び記録用紙に転写されたトナー像を定着させる定着処理を含む。以下では、画像形成装置１００における転写処理について説明する。なお、記録用紙は、所定のタイミングで搬送されるものとする。
【００６１】
図１及び図２を参照して、画像形成装置１００は、転写処理の開始タイミングになるまで待機し、開始タイミングになるとモータ（図示せず。）を回転させることによって、中間転写ベルト３１０及び二次転写ベルト４１０を回転（移動）させる。画像形成装置１００は、一次転写ローラ３４０に一次転写バイアスを印加することによって、感光体ドラム２１０が担持するトナー像を中間転写ベルト３１０の外周面に転写する。
【００６２】
図３を参照して、高圧電源装置５００は、クリーニング駆動回路５５０によって負バイアス電源部５３０を定電圧制御し、負極性（−）のクリーニング電圧を出力する。その後、高圧電源装置５００は、外部負荷４００Ａ（二次転写ユニット４００）に対して出力する電圧を正極性（＋）の二次転写電圧に切替える。すなわち、クリーニング駆動回路５５０が負バイアス電源部５３０の駆動を停止し、定電流制御回路５４０が駆動信号を出力する。定電流制御回路５４０から出力された駆動信号は、正バイアス電源部５１０に入力する前に検出器５７０に入力する。検出器５７０は定電流制御回路５４０から駆動信号が入力されると（定電流制御回路５４０からの制御命令を受信すると）、検出回路５６０からの検出信号Ｔを監視する。すなわち、検出器５７０は、検出回路５６０からの検出信号ＴがＨｉか否かを検出する。
【００６３】
検出信号ＴがＨｉでない場合（Ｌｏの場合）、高圧電源装置５００（正バイアス電源部５１０）には逆電流が発生している。この場合、検出器５７０は、検出信号ＴがＨｉになるまで、正バイアス電源部５１０への駆動信号の入力を遮断する。検出器５７０は、検出信号ＴがＨｉであることを検出（Ｈｉになったことを検出）すると、正バイアス電源部５１０へ駆動信号を入力する。すなわち、検出器５７０は、検出信号ＴがＨｉになったことに応答して、正バイアス電源部５１０に駆動信号が入力するように切替える。正バイアス電源部５１０は、定電流制御回路５４０からの駆動信号が入力されると、その駆動信号によって定電流制御され、外部負荷４００Ａに対して二次転写電圧を出力する。これにより、定電流制御された二次転写電圧が二次転写ユニット４００（二次転写ローラ４２０）に印加され、中間転写ベルト３１０が担持するトナー像が記録用紙に転写される。
【００６４】
画像形成装置１００（制御部１１０）は、記録用紙の後端をセンサ４５０が検出するまで待機し、センサ４５０が記録用紙の後端を検出すると、次の画像データがあるか否かを判定する。制御部１１０は、次の画像データがあると判定した場合、上記した制御（処理）を繰返す。一方、次の画像データがないと判定した場合、制御部１１０は、一次転写バイアスの印加を停止する。続いて、制御部１１０は、二次転写電圧の出力を停止するように、高圧電源装置５００（定電流制御回路５４０）を制御する。
【００６５】
制御部１１０は、クリーニング電圧を定電圧化して出力するように、高圧電源装置５００（クリーニング駆動回路５５０及び負バイアス電源部５３０）を制御する。これにより、定電圧制御されたクリーニング電圧が二次転写ユニット４００（二次転写ローラ４２０）に印加され、二次転写ベルト４１０に付着したトナーが中間転写ベルト３１０へ転写（付着）される。中間転写ベルト３１０の外周面に付着したトナーは、クリーニングユニット３５０によって除去される。
【００６６】
制御部１１０は、定電圧制御されたクリーニング電圧を出力した状態で所定時間が経過するのを待つ。制御部１１０は、所定時間が経過すると、クリーニング電圧の出力を停止するように高圧電源装置５００を制御する。所定時間は、例えば二次転写ベルト４１０が１周するのに要する時間である。クリーニング電圧の出力を停止すると、制御部１１０はモータの回転を停止させて、中間転写ベルト３１０及び二次転写ベルト４１０の回転（移動）を停止させる。これにより、転写処理が終了する。
【００６７】
《高圧電源装置５００の動作》
図３及び図４を参照して、本実施の形態に係る高圧電源装置５００の動作についてより詳細に説明する。高圧電源装置５００は、制御部１１０によって、定電流制御回路５４０及びクリーニング駆動回路５５０が制御される。制御部１１０は、二次転写電圧を出力するときには定電流制御回路５４０を駆動させ、クリーニング電圧を出力するときにはクリーニング駆動回路５５０を駆動させる。
【００６８】
図３を参照して、まず、正バイアス電源部５１０の動作について説明する。定電流制御回路５４０は、出力側からのフィードバックと基準値との比較結果（差分）に応じた値のアナログ信号を駆動信号として出力する。ここでは、検出器５７０によって駆動信号の入力が遮断されていないものとする。駆動信号が駆動トランジスタ５１４のベースに入力されると、駆動トランジスタ５１４にベース電流が流れて転写出力用トランス５１２がオンする。転写出力用トランス５１２は駆動トランジスタ５１４によってオンされると、一次巻線５１２ａに電圧が加わり、同時にベース駆動用巻線５１２ｂにも電圧が発生する。ベース駆動用巻線５１２ｂに発生する電圧は、駆動トランジスタ５１４をさらに導通させる方向に動作させ、正帰還の電圧となって駆動トランジスタ５１４は急速にオンする。これにより、転写出力用トランス５１２の一次巻線５１２ａにさらに電圧が加わる。
【００６９】
二次巻線５１２ｃの電圧はダイオード５１６ａ及びダイオード５１６ｂに対して逆に加わるため、転写出力用トランス５１２の二次巻線５１２ｃには電流は流れない。このため、一次巻線５１２ａに流れる電流は転写出力用トランス５１２の励磁電流だけとなる。ベース電流が駆動トランジスタ５１４の飽和を保てなくなると、駆動トランジスタ５１４は飽和から外れてコレクタ−エミッタ間にかかる電圧（以下「Ｖｃｅ」と呼ぶ。）が増大する。Ｖｃｅが増大して転写出力用トランス５１２の一次巻線５１２ａの電圧が低下すると、ベース駆動用巻線５１２ｂの電圧も低下し、さらにＶｃｅが増加する。この変化は正帰還されるので駆動トランジスタ５１４は急速にオンからオフになる。しかし、駆動トランジスタ５１４がオフした瞬間も転写出力用トランス５１２に発生した磁界は同一に保たれるため、一次巻線５１２ａに流れていた電流と同じエネルギを保つように二次巻線５１２ｃに電流が流れ、ダイオード５１６ａ及びダイオード５１６ｂを導通する。ダイオード５１６ａ及びダイオード５１６ｂが導通すると、転写出力用トランス５１２に蓄積されていたエネルギが出力される。これにより、出力側からのフィードバックが大きくなるので、基準値との差が小さくなる。駆動信号として出力されるアナログ信号の値が小さくなるため、トランジスタ５２０をオンできなくなる。すなわち、トランジスタ５２０がオフする。転写出力用トランス５１２に蓄積されていたエネルギが全て二次転写電圧として出力されると、転写出力用トランス５１２のそれぞれの巻線電圧は０となり、正バイアス電源部５１０の出力も０となる。これにより、出力側からのフィードバックが小さくなるので、基準値との差が大きくなる。駆動信号として出力されるアナログ信号の値が大きくなるため、再びトランジスタ５２０がオンする。トランジスタ５２０がオンされると、駆動トランジスタ５１４もオンされる。このようにして、トランジスタ５２０及び駆動トランジスタ５１４のオンオフが繰返され、正バイアス電源部５１０が＋定電流（＋ＣＣ）の二次転写電圧を出力するように定電流制御される。
【００７０】
次に、負バイアス電源部５３０の動作について説明する。クリーニング駆動回路５５０からの信号（電圧）がクリーニング出力用トランス５３２に入力されると、クリーニング出力用トランス５３２は、その信号（電圧）を昇圧して整流回路５３４に出力する。整流回路５３４は、昇圧された信号（電圧）を整流して出力する。負バイアス電源部５３０は、−定電圧（−ＣＶ）のクリーニング電圧を出力するように定電圧制御される。
【００７１】
ここで、地点ａの電位を外部電位Ｖａとし、地点ｂの電位を内部電位Ｖｂとする。外部電位Ｖａは、外部負荷４００Ａの電位であり、内部電位Ｖｂは、高圧電源装置５００の内部の電位である。外部負荷４００Ａに対して出力する電圧をクリーニング電圧から二次転写電圧に切替えるときに、内部電位Ｖｂが外部電位Ｖａより高いと、破線Ｆで示す逆電流が正バイアス電源部５１０に流れる。この状態で正バイアス電源部５１０を起動すると、自励発振ができなくなり起動不良が起こる。この起動不良によって、駆動トランジスタ５１４が熱破損する。
【００７２】
図５及び図６を参照して、高圧電源装置の起動不良の発生についてより詳細に説明する。図５に示す高圧電源装置７００は、起動不良を説明するための高圧電源装置である。この高圧電源装置７００は、検出回路５６０及び検出器５７０が設けられていない点を除き、本実施の形態に係る高圧電源装置５００と同様の構成を有する。高圧電源装置７００において、高圧電源装置５００と同一の部品には同一の参照番号を付してある。
【００７３】
図５を参照して、負バイアス電源部５３０は、クリーニング電圧を出力しているものとする。図６を参照して、クリーニング電圧の出力によって、内部電位Ｖｂは−１ｋＶとなっており、外部電位Ｖａは例えば−８００Ｖになっている。時間Ａ１のタイミングで負バイアス電源部５３０の駆動を停止すると、時間の経過に伴い、内部電位Ｖｂ及び外部電位Ｖａはともに０Ｖになる。外部負荷４００Ａはコンデンサ４３２を含むため、内部電位Ｖｂは外部電位Ｖａに比べて０Ｖになるまでの時間が短い。内部電位Ｖｂは、時間Ａ２のタイミングで０Ｖになり、外部電位Ｖａは、時間Ａ２より遅い時間Ａ３のタイミングで０Ｖになるものとする。時間Ａ２から時間Ａ３までの期間Ｔ１では、外部電位Ｖａより内部電位Ｖｂの方が電位が高いので、この間、正バイアス電源部５１０に逆電流が流れる。
【００７４】
再び図５を参照して、期間Ｔ１の間に（例えば時間Ａ２のタイミングで）、駆動信号の入力により駆動トランジスタ５１４にベース電流が流れる（駆動トランジスタ５１４がオンする）と、転写出力用トランス５１２がオンする。転写出力用トランス５１２は駆動トランジスタ５１４によってオンされると、一次巻線５１２ａに電圧が加わり、同時にベース駆動用巻線５１２ｂにも電圧が発生する。ベース駆動用巻線５１２ｂに発生する電圧は、駆動トランジスタ５１４をさらに導通させる方向に動作させ、正帰還の電圧となって駆動トランジスタ５１４は急速にオンする。これにより、転写出力用トランス５１２の一次巻線５１２ａにさらに電圧が加わる。このとき、転写出力用トランス５１２の二次巻線５１２ｃに逆電流が流れていると、図６に示すように、駆動トランジスタ５１４がオフされずにオン状態が維持される。駆動トランジスタ５１４には電流が流れ続けるため、熱によって駆動トランジスタ５１４が破損（熱破損）する。駆動トランジスタ５１４が破損すると、正バイアス電源部５１０が駆動できなくなるため二次転写電圧が出力されなくなる。なお、本実施の形態と同様の検出回路５６０が高圧電源装置７００に設けられていると仮定した場合、図６に示すように、期間Ｔ１の間は検出回路５６０から出力される検出信号ＴはＬｏレベルの信号となる。
【００７５】
このように、高圧電源装置７００では、逆電流の発生によって正バイアス電源部５１０に起動不良が生じる。高圧電源装置７００において、負バイアス電源部５３０を常に駆動させておき、出力電圧をクリーニング電圧から二次転写電圧に切替えるときに、負バイアス電源部５３０の出力に正バイアス電源部５１０の出力を重畳させるように制御すれば、内部電位Ｖｂが外部電位Ｖａより高くなるのを抑制できる。これにより、逆電流の発生が抑制されて、正バイアス電源部５１０の起動不良が抑制される。しかし、高圧電源装置７００をこのように駆動する場合、負バイアス電源部５３０を常に駆動させておく必要があるため、電力効率が低下する。なお、本実施の形態に係る高圧電源装置５００においても、高圧電源装置７００と同様にして逆電流が発生する。
【００７６】
再び図３を参照して、本実施の形態に係る高圧電源装置５００は、上記のように、検出回路５６０及び検出器５７０を含む。検出回路５６０は、逆電流が発生しているか否かに応じて、Ｌｏ又はＨｉの検出信号Ｔを出力する。図４を参照して、期間Ｔ１の間は逆電流が流れるため、検出回路５６０は、期間Ｔ１の間、Ｌｏレベルの検出信号Ｔを出力する。検出器５７０（図３参照）は、定電流制御回路５４０からの駆動信号が入力されると、検出回路５６０からの検出信号ＴがＨｉかＬｏかを検出する。
【００７７】
検出信号ＴがＬｏレベルである場合、正バイアス電源部５１０には逆電流が流れている。検出器５７０は、検出信号ＴがＬｏレベルの間、駆動信号の正バイアス電源部５１０への入力を遮断する。これにより、期間Ｔ１の間は駆動トランジスタ５１４がオンオフされない。検出信号ＴがＨｉレベルである場合、正バイアス電源部５１０には逆電流が流れていない。検出器５７０は、検出信号ＴがＬｏからＨｉに切替わったことに応答して、駆動信号が正バイアス電源部５１０に入力するように切替える。これにより、期間Ｔ１の後に駆動トランジスタ５１４がオンオフを開始する。このように、駆動トランジスタ５１４は、正バイアス電源部５１０に逆電流が流れている間（期間Ｔ１の間）は駆動せず、逆電流が流れなくなった時間Ａ３のタイミングで駆動する。駆動トランジスタ５１４は、期間Ｔ１の後、正常にオンオフを繰返すことが可能となり、起動不良による熱破損が抑制される。
【００７８】
［本実施の形態の効果］
以上の説明から明らかなように、本実施の形態に係る高圧電源装置５００を利用することにより、以下に述べる効果を奏する。
【００７９】
高圧電源装置５００の正バイアス電源部５１０は、転写出力用トランス５１２によって昇圧された二次転写電圧を、出力端５９０を介して外部に出力する。定電流制御回路５４０は、正バイアス電源部５１０に駆動信号を入力することにより、定電流化された高電圧（二次転写電圧）を出力するように当該正バイアス電源部５１０の駆動を制御する。検出回路５６０は、転写出力用トランス５１２の出力端５９０側を流れる電流の向きを検出する。すなわち、検出回路５６０は、正バイアス電源部５１０に逆電流が流れているか否かを検出する。検出器５７０は、逆電流が流れているか否かに応じて、すなわち、検出回路５６０からの検出信号ＴがＬｏか否かに応じて、正バイアス電源部５１０に対する駆動信号の入力の遮断と駆動信号の入力とを切替える。逆電流が流れているときには、正バイアス電源部５１０に駆動信号が入力されるのを遮断し、逆電流が流れていないときには、正バイアス電源部５１０に駆動信号を入力する。このように、高圧電源装置５００は、正バイアス電源部５１０に逆電流が流れているか否かを監視し、逆電流が流れていないときに正バイアス電源部５１０を起動する。これにより、逆電流に起因する正バイアス電源部５１０の起動不良を抑制できる。加えて、起動不良に起因する駆動トランジスタ５１４の熱破損を効果的に抑制できる。
【００８０】
さらに本実施の形態に係る高圧電源装置５００は、負バイアス電源部５３０を常に駆動させておくことなく、起動不良を抑制できる。このため、高圧電源装置５００は、電力効率を低下させることなく起動不良を抑制できる。負バイアス電源部５３０を常に駆動させていると、駆動によって生じた熱により回路部品の放熱を悪化させる。高圧電源装置５００は、負バイアス電源部５３０を常に駆動させておく必要がないため、こうした不都合が生じるのを抑制することもできる。
【００８１】
本実施の形態に係る画像形成装置１００は、このような高圧電源装置５００を含むことによって、起動不良に起因する破損を効果的に抑制できる。加えて、起動不良を抑制することによって、起動不良に起因する転写不良の発生を抑制できる。
【００８２】
（第２の実施形態）
上記第１の実施の形態では、高圧電源装置の検出回路にツェナーダイオードを用いた例を示したが、本発明はそのような実施の形態には限定されない。逆電流の発生を検出することが可能な素子であれば、ツェナーダイオード以外の素子を検出回路に用いてもよい。本実施の形態では、ツェナーダイオードに代えて、抵抗素子を検出回路に用いている。抵抗素子の両端の電位差を検出することによって、逆電流の発生を検出できる。なお、逆電流の発生を検出することが可能な素子であれば、これらの素子に限定されない。
【００８３】
（第３の実施形態）
上記第１の実施の形態では、高圧電源装置の検出回路を、逆電流を検出した場合はＬｏレベルの検出信号を出力し、逆電流を検出していない場合はＨｉレベルの検出信号を出力するように構成した例を示したが、本発明はそのような実施の形態には限定されない。検出信号のＨｉ／Ｌｏは、上記実施の形態で示した構成とは逆であってもよい。その場合、検出器は、検出信号がＨｉレベルであることを検出すると、正バイアス電源部への駆動信号の入力を遮断するように構成されていると好ましい。
【００８４】
（第４の実施形態）
上記第１の実施の形態では、高圧電源装置において、転写出力用トランスが＋定電流（＋ＣＣ）の転写電圧（正極性の電圧）を出力し、クリーニング用トランスが−定電圧（−ＣＶ）のクリーニング電圧（負極性の電圧）を出力するように構成した例を示したが、本発明はそのような実施の形態には限定されない。転写出力用トランスが−定電流（−ＣＣ）の転写電圧（負極性の電圧）を出力し、クリーニング用トランスが＋定電圧（＋ＣＶ）のクリーニング電圧（正極性の電圧）を出力するように構成してもよい。この場合、ダイオード（ツェナーダイオードを含む。）及びトランスのコイルの向きは逆になる。なお、このように出力電圧の極性を逆にした場合、各バイアス電源部の名称を、出力電圧の極性に応じて変更してもよい。例えば、上記実施の形態で示した正バイアス電源部及び負バイアス電源部を、それぞれ、負バイアス電源部及び正バイアス電源部と名称を変更してもよい。
【００８５】
（第５の実施形態）
上記第１の実施の形態では、二次転写ユニットに高電圧を印加する高圧電源装置の例を示したが、高圧電源装置による高電圧の印加は、二次転写ユニット以外であってもよい。高圧電源装置による高電圧の印加は、例えば一次転写ローラであってもよい。さらに、高圧電源装置は、二次転写ユニット（二次転写ローラ）に代えて、中間転写ユニットの駆動ローラにバイアス電圧を印加するものであってもよい。この場合、高圧電源装置は、二次転写電圧がトナーの帯電極性と同極性となるように制御され、クリーニング電圧がトナーの帯電極性と逆極性となるように制御される。例えば、トナーの帯電極性が（−）の場合、高圧電源装置から駆動ローラに対して出力される二次転写電圧は負極性の電圧となり、クリーニング電圧は正極性の電圧となる。
【００８６】
（第６の実施形態）
上記第１の実施の形態では、転写電圧を出力する正バイアス電源部とクリーニング電圧を出力する負バイアス電源部とを含む高圧電源装置の例について示したが、本発明はそのような実施の形態には限定されない。高圧電源装置は、例えば負バイアス電源部を含まないように構成されていてもよい。すなわち、高圧電源装置において、クリーニング用トランスはなくてもよい。高圧電源装置がクリーニング用トランスを含まない構成であっても、検出回路及び検出器を含むことによって、逆電流の発生に起因する起動不良を効果的に抑制できる。
【００８７】
（変形例）
上記実施の形態では、画像形成装置の一例であるＭＦＰ（複合機）に本発明を適用した例について示したが、本発明はそのような実施の形態には限定されない。電子写真方式の印刷機能を備えていれば、画像形成装置は複合機以外であってもよい。例えば、画像形成装置は、コピー機、プリンタ等であってもよい。
【００８８】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００８９】
１００                    画像形成装置
１１０                    制御部
１６０                    作像部
１７０                    露光装置
２００                    画像形成処理部
２１０                    感光体ドラム
２２０                    現像装置
２３０                    帯電装置
２５０                    画像形成部
３００                    中間転写ユニット
４００                    二次転写ユニット
４００Ａ                  外部負荷
４１０                    二次転写ベルト
４２０                    二次転写ローラ
５００                    高圧電源装置
５１０                    正バイアス電源部
５１２                    転写出力用トランス
５１４                    駆動トランジスタ
５３０                    負バイアス電源部
５４０                    定電流制御回路
５６０                    検出回路
５６２                    ツェナーダイオード
５６４                    オペアンプ
５７０                    検出器
５９０                    出力端
【図１】
2015012773.tif 000003
【図２】
2015012773.tif 000004
【図３】
2015012773.tif 000005
【図４】
2015012773.tif 000006
【図５】
2015012773.tif 000007
【図６】
2015012773.tif 000008